(57)【特許請求の範囲】
【請求項１】
既存の引き違い窓型のサッシに取り付け可能な雨戸であって、
その全体の形状が、透過性を有する１枚の熱可塑性樹脂の薄板材から一体成形され、
該薄板材の厚みは３ｍｍ以下とし、
該雨戸の室内側の面には、横方向を長手とする略ルーバー状の突出部が複数設けられ、
該突出部の上辺部には、室内と屋外を通気させるために開口した開口部を有し、
該突出部の突き出し幅と、前記薄板材の厚みと併せた寸法において、使用するサッシの引き違い窓の窓枠の厚さを超えない範囲の寸法として成り、
引き違い窓型のサッシにおける屋外側ガラス戸枠体の横側位置であって、且つ屋内側ガラス戸枠体の屋外側に位置する前記屋外側ガラス窓枠体が摺動するためのサッシ溝の隙間に、前記雨戸の上辺部及び下辺部を挟持させることで着脱自在な雨戸であることを特徴とする一体成形透明樹脂製雨戸。
【請求項２】
前記透明樹脂製雨戸の屋内側に、縦方向の補強リブ部を設けたことで、水平方向の曲げ強度を向上させたことを特徴とする請求項１に記載の一体成形透明樹脂製雨戸。
【請求項３】
前記略ルーバー状の突出部の配置構成において、上下に整列する少なくとも二以上の列群を有し、隣設する前記突出部同士の位置関係が縦方向に位相した配置としたことで、水平方向の曲げ強度を向上させたことを特徴とする請求項１又は請求項２に記載の一体成形透明樹脂製雨戸。
【請求項４】
前記薄板材が、透過率８０％以上の樹脂製であることを特徴とする請求項１から請求項３のいずれかに記載の一体成形透明樹脂製雨戸。
【請求項５】
前記薄板材が、半透明であるか、又は可視光線に相当する領域の電磁波を遮蔽する樹脂製であることを特徴とする請求項１から請求項３のいずれかに記載の一体成形透明樹脂製雨戸。
【請求項６】
前記透明樹脂製雨戸において、その全体に紫外線を遮蔽するコーティングが施されているか、又は前記板材に紫外線吸収剤を含有することを特徴とする請求項１から請求項５のいずれかに記載の一体成形透明樹脂製雨戸。
【請求項７】
前記透明な熱可塑性樹脂が、アクリル樹脂（PMMA：Poly Methyl Methacrylate ）、ポリカーボネート (PC:Polycarbonate)、又はPET樹脂（PET：Poly Ethylene Terephthalate）のいずれかであることを特徴とする請求項１から請求項６のいずれかに記載の一体成形透明樹脂製雨戸。
【発明の詳細な説明】
【技術分野】
【０００１】
本発明は、雨戸に関し、より詳しくは、既存のサッシや窓等に加工をすることなく取付可能な汎用性の高い雨戸であって、風雨を防ぐと共に、ガラス窓の有する採光機能を低下させることなく室内外の通気を可能とする雨戸に関する。
【背景技術】
【０００２】
雨戸は、風雨を防ぐほか、防犯や防火の役割を果たすため、通常は窓枠の最も屋外側に配置される建具であり、台風などの強風等から窓ガラスや障子等が破損するのを防いだり、遮光、遮音、或いは遮熱のため、その素材は木の板や軽量の鉄板、若しくはアルミ板などの硬質素材で作られているものが多い。
【０００３】
従って、従来の雨戸を閉めると光は遮られ、室内から外を見ることができなくなり、通気性もシャットアウトされてしまう。なお、通気性を有する建具としては網戸があり、網戸によれば室内外の通気を図りながら、自然光の採光や戸外への視認性も確保することができる。しかし、通常の網戸だけでは風雨を防ぐことはできないという問題が残ってしまう。
【０００４】
このように、従来の建具では、風雨時において、ガラス窓と同様な戸外への視認性を確保しながらも、風雨の室内侵入を防ぎ、且つ、室内外の通気性も確保できものではなかった。係る問題を解決する建具として、ガラスのルーバーを複数並べ、オペレーターハンドルを回すと該ルーバーの角度調節ができ、採光と通気性の両立を兼ね備えるガラスルーバー窓が存在する。しかしながら、該ガラスルーバー窓は構造が複雑で部品点数が多く、コスト高となるため、一般住宅ではトイレや浴室等の一部に採光用及び通気用として、比較的小さな窓にしか用いられていない現状にある。また、ガラスであると、何らかの衝撃が加わった場合には簡単に割れてしまい、その破片で怪我をすることもある。しかし、本発明では。万一破損しても、ガラスのように大きく破片の飛び散ることがなく安全である。。
【０００５】
このような雨戸の有する問題点に鑑みて、従来からも種々の技術が提案されている。例えば、「透明又は半透明で軽量硬質の平板プラスチック樹脂製の遮蔽板本体は長方形の形状を有し、遮蔽板本体表面には外気導入や通気の為の細長い直線の通気穴を複数全面に設け、雨が流入しない様に細長い板状の庇の役目をする小板は通気穴の上部に設け通気を妨げず、雨の流入を防ぐため斜め下向き取り付け、既存網戸外側フレームに引っかけ装着するフック状の留め金を遮蔽板本体妻側の上端に２個設置、これを網戸フレーム外側、上部先端に引っかけ網戸フレームに密着させ吊り下げる。他方遮蔽板本体の下方左右には取り付け位置調整用の小穴を複数適宜設置し、伸縮するコイルスプリング上下両端にはフック状の金具が緊結されており、これを遮蔽板本体の取り付け位置調整用の小穴に左右それぞれ差し込み連結し、対向先端にあるフック状の金具を引き下ろし網戸フレーム外側の下方底部に引っかけ遮蔽板本体を固定密着させる。」という技術が提案されている（特許文献１参照）。係る技術は、本願発明と解決課題を共通し、その構成においても多数の共通点を有する。しかし、係る技術では、窓への取付手段が既存網戸外側フレームに引っかけて装着するフック状の留め金を遮蔽板本体妻側の上端に２個設置し、これを網戸フレーム外側、上部先端に引っかけて網戸フレームに密着させ吊り下げる構成であるため、ベランダのない２階以上の出窓のように。屋外側から作業ができない窓への設置は困難であり、また、摺動できない。これに対し、本願発明はサッシ枠の室内側上部溝及び下部溝との隙間に摺動可能に挟着されることから、室内側から容易に取り付けることが可能であり、摺動できる。また一体成形による剛性などに配慮している点などにおいても大きく相違している。
【０００６】
また、「網戸にフードを取り付けることにより、強風・雨降りや吹雪の日も室内に雨・雪の侵入を防ぐフード付き網戸アルミサッシ建具」に関する技術も提案されている（特許文献２参照）。係る技術も、本願発明と解決課題を共通し、その構成において多数の共通点がある。しかし、係る技術では、前記の特許文献１と同様に、窓への取付手段が、既存網戸外側フレームに固定するものであるため、ベランダのない２階以上の出窓のように。屋外側から作業ができない窓への設置は困難であり、また、単独で摺動できない。これに対し、本願発明はサッシ枠の室内側上部溝及び下部溝との隙間に摺動可能に挟着されることから、室内側から容易に取り付けることが可能であり、単独でも摺動できる。また一体成形による剛性などに配慮している点などにおいても大きく相違している。
【０００７】
また、「風雨からの保護や防犯のために、窓の外側に収納・引き出し自在に配設した雨戸であって、透光性と透視性とを有する合成樹脂で形成したことを特徴とする透明雨戸。」に関する技術も提案されている（（特許文献３参照）。係る技術も採光などの点において解決課題が共通し、透明樹脂を用いている点など共通する構成もある。しかし、特許文献３に係る透明雨戸は、透光性を有する合成樹脂製の雨戸本体を、例えば木製あるいはアルミ製の枠体に取付けて構成されるもので、該枠体を既存の雨戸レールに対応させることによって既存の住宅などに後付けするものである。従って、本願発明と比して構造が複雑であり、枠体で剛性を確保しない本願発明とはその構成において大きく相違している。
【先行技術文献】
【特許文献】
【０００８】
【特許文献１】実用新案登録第3170509号公報
【特許文献２】実開S63-25795号公報
【特許文献３】特開平10-339080号公報
【発明の概要】
【発明が解決しようとする課題】
【０００９】
本発明は、上記問題点に鑑み、既存のサッシや窓等に加工をすることなく取付が可能な汎用性の高い雨戸であって、風雨を防ぐと共に、ガラス窓の有する採光機能を低下させることなく室内外の通気を可能とする雨戸の技術提供を図る。
【課題を解決するための手段】
【００１０】
本発明は、上記目的を達成するために、既存の引き違い窓型のサッシに取り付け可能な雨戸であって、その全体の形状が、透過性を有する１枚の熱可塑性樹脂の薄板材から一体成形され、該薄板材の厚みは３ｍｍ以下とし、該雨戸の室内側の面には、横方向を長手とする略ルーバー状の突出部が複数設けられ、該突出部の上辺部には、室内と屋外を通気させるために開口した開口部を有し、該突出部の突き出し幅と、前記薄板材の厚みと併せた寸法において、使用するサッシの引き違い窓の窓枠の厚さを超えない範囲の寸法として成り、引き違い窓型のサッシにおける屋外側ガラス戸枠体の横側位置であって、且つ屋内側ガラス戸枠体の屋外側に位置する前記屋外側ガラス窓枠体が摺動するためのサッシ溝の隙間に、前記雨戸の上辺部及び下辺部を挟持させることで着脱自在な雨戸であることを特徴とする一体成形透明樹脂製雨戸とした。
【００１１】
また、本発明は、前記透明樹脂製雨戸の屋内側に、縦方向の補強リブ部を設けたことで、水平方向の曲げ強度を向上させたことを特徴とする請求項１に記載の一体成形透明樹脂製雨戸とすることもできる。
【００１２】
また、本発明は、前記略ルーバー状の突出部の配置構成において、上下に整列する少なくとも二以上の列群を有し、隣設する前記突出部同士の位置関係が縦方向に位相した配置としたことで、水平方向の曲げ強度を向上させたことを特徴とする請求項１又は請求項２に記載の一体成形透明樹脂製雨戸とすることもできる。
【００１３】
また、本発明は、前記薄板材が、透過率８０％以上の樹脂製であることを特徴とする請求項１から請求項３のいずれかに記載の一体成形透明樹脂製雨戸とすることもできる。
【００１４】
また、本発明は、前記薄板材が、半透明であるか、又は可視光線に相当する領域の電磁波を遮蔽する樹脂製であることを特徴とする請求項１から請求項３のいずれかに記載の一体成形透明樹脂製雨戸とすることもできる。
【００１５】
また、本発明は、前記透明樹脂製雨戸において、その全体に紫外線を遮蔽するコーティングが施されているか、又は前記板材に紫外線吸収剤を含有することを特徴とする請求項１から請求項５のいずれかに記載の一体成形透明樹脂製雨戸とすることもできる。
【００１６】
また、本発明は、前記透明な熱可塑性樹脂が、アクリル樹脂（PMMA：Poly Methyl Methacrylate ）、ポリカーボネート
(PC:Polycarbonate)、又はPET樹脂（PET：Poly Ethylene Terephthalate）のいずれかであることを特徴とする請求項１から請求項６のいずれかに記載の一体成形透明樹脂製雨戸とすることもできる。
【発明の効果】
【００１７】
建築物の室内の環境を調整するため、外部から自然光をとり入れることは、室内の衛生環境維持に欠かせないが、本発明に係る一体成形透明樹脂製雨戸によれば、透過性を有する熱可塑性樹脂を用いるため、ガラス窓が有する透過性を調整して採光でき、同時に室内外の通気も可能であるという優れた効果を奏する。なお、係る透過性について請求項４では透過率８０％以上の樹脂製薄板材が用いられ、窓ガラスとほぼ同様の採光を可能としており、請求項５では、前記樹脂製薄板材が半透明であるか又は可視光線に相当する領域の電磁波を遮蔽する樹脂製であることから、ある程度の採光を可能としつつ、プライベート性を確保できるといった優れた効果を発揮する。
【００１８】
また、本発明に係る一体成形透明樹脂製雨戸によれば、既存の引き違い窓型のサッシの溝を利用して取り付ける構成を採用しているため、着脱が容易であり、特にベランダ等がない出窓のように、屋外から作業できない既存サッシへの取り付けにおいても、足場を組む必要なく、容易に取付が可能であるという優れた効果を奏する。
【００１９】
また、本発明に係る一体成形透明樹脂製雨戸によれば、１枚の薄板材から全体形状が一体成形され、更に、他の構成部品もないため生産性が優れ、低コストでの量産が可能となるという優れた効果を奏する。
【００２０】
また、本発明に係る一体成形透明樹脂製雨戸によれば、１枚の薄板材から全体形状が一体成形され、略ルーバー状の突出部が複数設けられることによって剛性が高くなり、サッシに取り付けても撓み変形により脱落しないという優れた効果を奏し、特に請求項２や請求項３に記載された一体成形透明樹脂製雨戸によれば、補強リブや前記突出部が横方向に位相して配設される為、更に高い剛性が得られるという優れた効果を奏する。
【００２１】
また、本発明に係る一体成形透明樹脂製雨戸によれば、サッシへの取付手段において、引き違い窓型のサッシ溝に、前記雨戸の上辺部及び下辺部を挟持させることで着脱自在となる取付手段を有しており、取付及び取外しが容易であるといった優れた効果を奏する。
【００２２】
また、本発明に係る一体成形透明樹脂製雨戸によれば、窓ガラスを閉めた場合は、気密性が高くなり、また、屋内と屋外との間に一層の空間部を作るため、断熱性能が向上し、冷暖房費用の軽減により省エネルギー化を図ると共に、防音効果や結露防止効果も高まるといった優れた効果を奏する。
【００２３】
また、従来の窓設備によって雨水の吹き込みを防止するためには、窓を閉めるか雨戸を利用しなければならなかった。従って、特に夏場などでは、室内の温度調節や湿度調節のためにエア・コンディショナー等の電気的な空調設備を稼働することが多くなり、電気エネルギー資源の無駄使いがあったといえる。しかし、本発明に係る一体成形透明樹脂製雨戸によれば、窓を開けたまま利用できるため、屋内外の通気が可能であり、屋外の冷気を取り入れれば十分足りるような時間帯などでのエアコン使用量を減らし、電力の有効利用に資するなど、エコロジー性及びエコノミー性が高いという優れた効果を奏する。 
【００２４】
また、本発明に係る一体成形透明樹脂製雨戸によれば、一体成形により剛性を図り、これによってアクリルやポリカーボネートで３．０ｍｍ以下という薄板材での形成を可能としている。従って、例えば、MM（メーターモジュール）の規格サイズで生産したものでも、アクリルカッターや通常のカッターナイフ等で容易に縁部を裁断できるので、関東間や関西間へのサイズ変更もでき、また、サッシの経年変形により枠体が歪んでしまった場合などでも、その歪に対応するように容易に形状の修正が可能であるといった優れた効果を奏する。
【００２５】
また、本発明に係る一体成形透明樹脂製雨戸の全体に透過率を高めるためのコーティングを施せば、表面反射等を減らして透過率が高められ、ガラス窓の採光性を損なうことがないという優れた効果も発揮し得る。なお、コーティングは透過性を高めるものであれば特に限定するものではないが、樹脂素材がポリカーボネートである場合、紫外線を受けると化学反応を起こして黄変し、透視性が失われ易いので、紫外線吸収層のコーティングを施すことが望ましい。例えば、フッ素樹脂によるコーティングなどが考えられる。
【００２６】
また、請求項５に係る前記透明樹脂製雨戸によれば、その全体に紫外線を遮蔽するコーティングが施されているか、又は前記板材に紫外線吸収剤（UVA：Ultra Violet Absorber）を含有するため、室内へ紫外線が入り込まない様にすることができるとともに、早期劣化を防ぐことが可能になるという優れた効果を奏する。特に、雨戸という物品の性質上、太陽光にさらされる時間が長いため、透明樹脂製品では劣化により透明性が低下し易いことから、係る構成を採用することが望ましい。また、同様の理由から、ヒンダードアミン系の光安定剤（HALS：Himdered  Amine  Light  Stabilizer）を併用して含有させることも有効である。紫外線により生成したラジカルを捕捉し、着色防止や光沢保持の効果を発揮させるためである。
【００２７】
また、本発明に係る一体成形透明樹脂製雨戸によれば、素材となる透明樹脂の種類について、熱硬化性樹脂ではなく熱可塑性樹脂に特定しているため、大掛かりな射出成型機や窓枠寸法に応じた多数の金型を不要とし、先行投資のリスクやコスト軽減を図ることを可能としている。また、請求項５に係る前記一体成形透明樹脂製雨戸によれば、列挙した樹脂に特定することで、各素材の持つ特性から、コスト、耐久性、或いは生産性など、重視する目的に応じて選択できるといった効果を発揮する。
【００２８】
また、本発明に係る一体成形透明樹脂製雨戸によれば、３．０ｍｍ以下という薄い材料を使用しているものの、突出部を含めて一体成形していることから全体の剛性が高く、爆風といえるような悪天候時においても外れ難く、従って、網戸と併用されない場合でも飛ばされないという優れた効果を奏する。
【００２９】
また、本発明に係る一体成形透明樹脂製雨戸によれば、突出部の突き出し幅を抑えて開口部の幅を虫の侵入を防げられる寸法内に調整することで、網戸がないサッシ窓において、網戸の代わりとなる機能も発揮する優れた効果を奏する。
【図面の簡単な説明】
【００３０】
【図１】請求項１に係る一体成形透明樹脂製雨戸の全体説明図である。
【図２】請求項２に係る一体成形透明樹脂製雨戸の全体説明図である。
【図３】本発明に係る使用状態説明図である。
【図４】本発明に係る一体成形透明樹脂製雨戸の取付説明図である。
【図５】本発明に係る略ルーバー状の突出部の別の配置構成説明図である。
【図６】本発明に係る一体成形透明樹脂製雨戸の取付状態説明図である。
【図７】本発明の取付応用例を示す取付説明図である。
【発明を実施するための形態】
【００３１】
本発明に係る一体成形透明樹脂製雨戸１０は、既存のサッシ４０に取り付け可能な雨戸であって、該雨戸の室内Ｘ側の面には、横方向を長手とする略ルーバー状の突出部２０が複数設けられ、該突出部２０の上辺部には、屋内Ｘと屋外Ｙとを通気させるために開口した開口部２１を有し、透過性を有する熱可塑性樹脂であって、その厚さが３ｍｍ以下の１枚の薄板材１１からこれらの全体形状が一体成形により形成され、該雨戸１０の上辺部及び下辺部を、引き違い窓型のサッシ４０における屋外Ｙ側ガラス戸枠体４１の横側位置であって、且つ屋内Ｘ側ガラス戸枠体４１の屋外Ｙ側に位置する屋外Ｙ側ガラス窓枠体４１が摺動するためのサッシ溝の隙間４２に差し込んで挟持させることで、着脱及び摺動も自在な雨戸１０としたことを最大の特徴としている。以下、図面に基づいて実施の形態を説明する。
【実施例１】
【００３２】
図１は、請求項１に係る一体成形透明樹脂製雨戸１０の全体説明図である。一体成形透明樹脂製雨戸１０は、既存のサッシ４０に取り付け可能な雨戸であって、該雨戸の室内Ｘ側面には、横方向を長手とする略ルーバー状の突出部２０が複数設けられている。該突出部２０は、室内Ｘ側に突出させる点においては特定しているが、図示されている数や大きさ、或いは形状について特に限定するものではない。但し、該突出部２０の上辺部には、室内Ｘと屋外Ｙを通気させるために開口した開口部２１が形成されており、製作においての形成手段としては、開口部２１の上辺部となる位置に、薄板材１１に切り込みを入れ、塑性変形し易い温度まで加熱し、型押し等により成形する。
【００３３】
また、前記一体成形透明樹脂製雨戸１０の幅は、略ルーバー状の突出部２０の突き出し幅Ｈと、薄板材１１の厚みｔと併せた寸法となるが、使用するサッシ４０の引き違い窓の窓枠の厚さを超えない範囲の寸法であることが必要である。何故なら、既存の雨戸や網戸５０との干渉を避けるためであり、また、薄板材１１の厚みｔが３．０ｍｍ以下と薄いため、伸び率が２〜１０％しかないアクリル樹脂等では型押しの際に割れを生じ易くなり、伸び率が６０〜１００％のポリカーボネートや、伸び率が７０〜１３０％のＰＥＴ樹脂では、成形は可能でも、薄くなり過ぎて剛性が不足してしまうからである。
【００３４】
従って、通気口２１の開口幅は、突き出し幅Ｈから板厚ｔの厚みを差し引いた値になる。なお、網戸５０を有さないサッシ４０に、本発明によって雨戸の機能と網戸５０の機能を兼用させる場合には、該開口幅は、蚊やハエのような虫が入れない程度の幅とする。また、係る構成の場合は剛性を確保し難くなるので、請求項２の補強リブ部３０や請求項３における突出部２０の配置構成を採用することが望ましい。
【００３５】
また、本発明に係る一体成形透明樹脂製雨戸１０は、透過性を有する熱可塑性樹脂の１枚の薄板材１１からその全体形状を一体形成する構成を採用している。係る構成の中で素材に透過性を必須の要件とした理由は、一般的な窓用ガラス４３の採光性を失わないようにするためである。なお、請求項４において８０％以上の透過率を有する樹脂に限定しているのは、引き戸において屋内Ｘ側と屋外Ｙ側のガラス４３をサッシ４０の片側に重なり合うようにスライドして配置させると、その透過率は約８０％となるため、その隣に本発明に係る一体成形透明樹脂製雨戸１０を配設した場合でも同程度の採光性を確保するためである。即ち、ガラス４３と比して屋内Ｘの明るさや屋外Ｙへの可視性を低下させない構成にするための特定事項である。ここで、アクリルの透過性は約９３％とガラスさえも凌ぐものがあり、ポリカーボネートもＰＥＴ樹脂も約９０％弱と、その採光性は優れている。
【００３６】
また、本発明に係る一体成形透明樹脂製雨戸１０においては、その素材に熱可塑性樹脂を用いるが、熱硬化性樹脂を除いている理由は、低コスト化を図ることや劣化による耐久性の低下などを考慮したものである。
【００３７】
また、本発明に係る一体成形透明樹脂製雨戸１０では、厚さｔが３ｍｍ以下の１枚の薄板材１１からその全体形状が一体成形により形成される構成を採用しているが、これは、薄くて軽い樹脂素材であっても、前記略ルーバー状の突出部２０を複数設けることによって剛性が高くなり、サッシ４０に取り付けても撓み変形により脱落しないという優れた効果を発揮させると共に、原材料となる薄板材１１以外には一切の部材を必要とすることなく製作可能とするためである。
【００３８】
また、本発明に係る一体成形透明樹脂製雨戸１０をサッシ４０へ取り付ける際は、図４に示すように、本発明の上辺部及び下辺部をサッシ４０の隙間４２に差し込むことで、摺動可能に上辺部及び下辺部が挟着される構成を採用している。
【実施例２】
【００３９】
図２は、請求項２に係る一体成形透明樹脂製雨戸１０の全体説明図である。補強リブ３０は、図２に例示すように、薄板材１１の両側側辺から突出部２０の間に補強リブ部３０を縦方向に設けるなどの縦方向に延びる補強部であり、水平方向に撓んでしまうことを防止する。係る構成を採用することにより、横方向を長手とする突出部２１と、縦方向を長手とする該補強リブ部３０の双方が一体成形されることで、全体の剛性がより高まり、撓みを原因とするサッシ４０からの脱落や風が強い時のばたつき等を防ぐ。
【００４０】
図３は本発明に係る使用状態説明図であり、図３はアルミシャッター等の雨戸は示しておらず、また、屋外Ｙ側の窓ガラス４３とガラス戸枠体４１も、一体成形透明樹脂製雨戸１０の配置位置を明確に示すため省略している。図３（ａ）は屋外Ｙから屋内Ｘに向かって、網戸５０、一体成形透明樹脂製雨戸１０、屋外Ｙ側の窓ガラス窓４３、室内Ｘ側の窓ガラス窓４３の順に並んだ状態を示しており、図３(ｂ)は屋外Ｙから屋内Ｘに向かって、網戸５０、一体成形透明樹脂製雨戸１０と屋外Ｙ側の窓ガラス窓４３、室内Ｘ側の窓ガラス窓４３の順に並んだ状態を示している。また、図３では、風雨時でも雨水Ｓの屋内Ｘへの侵入を防ぐと共に、網戸５０のメッシュから通りぬけた通風空気Ｚが開口部２１から屋内Ｘへ流れ込み、外気を取り込むことができる状態を示している。なお、説明の余地もないが、通気方向はこれに限られず屋内Ｘ側から屋外Ｙへも通気する。
【００４１】
図４は、本発明に係る一体成形透明樹脂製雨戸１０をサッシ４０に取り付けるための取付説明図である。引き違い窓型のサッシ４０における屋外Ｙ側ガラス戸枠体４１の横側位置であって、且つ屋内Ｘ側ガラス戸枠体４１の屋外Ｙ側に位置する前記屋外Ｙ側ガラス窓枠体４２が摺動するためのサッシ溝４２に、本願発明の上辺部及び下辺部を挟持させることで着脱自在に取付け可能である。図４(ａ)は屋外Ｙ側のガラス戸枠体４１のスライドレールと網戸のガイドレールの間のサッシ溝の隙間４２に取付けられた状態を示し、図４(ｂ)は屋外Ｙ側のガラス戸枠体４１のスライドレールと屋内Ｘ側のガラス戸枠体４１のスライドレールの間のサッシ溝の隙間４２に取付けられた状態を示している。
【００４２】
図５は、請求項３に係る略ルーバー状の突出部２０の別の配置構成説明図である。図５（ａ）は、突出部２０の配置構成に上下に整列する３列構成を採用して隣設する突出部２０同士の位置関係が縦方向に位相した配置状態を例示したものであり、図５（ｂ）は、突出部２０の配置構成に上下に整列する２列構成を採用して隣設する突出部２０同士の位置関係が縦方向に位相した配置状態を例示したものである。係る構成を採用することにより、水平方向の曲げ強度を向上させ、撓みによるサッシ４０からの脱落を防止すると共に、強風等によるバタツキを防止する。
【００４３】
図６は、本発明に係る一体成形透明樹脂製雨戸１０の取付状態説明図である。図６に示すように、本発明は、既存のサッシ４０に取り付け可能な雨戸であり、既存の引き違い窓型のサッシ４０における屋外Ｙ側ガラス戸枠体４１の横側位置であって、且つ屋内Ｘ側ガラス戸枠体４１の屋外Ｙ側に位置する屋外Ｙ側ガラス窓枠体４１が摺動するためのサッシ溝の隙間４２に、本発明の上辺部及び下辺部を挟持させることで着脱自在に取り付けられる。
【実施例３】
【００４４】
請求項４に係る一体成形透明樹脂製雨戸では、薄板材１１に透過率８０％以上の樹脂素材を用いている。係る構成を採用することで、窓ガラス４３とほぼ同様の採光を可能としている。なお、その全体に透過率を高めるためのコーティングを施すことも有効である。係る構成を採用すれば、更に採光性を高めて太陽光等の自然光を屋内Ｘに取り込み、建築物の室内の衛生環境維持に資すると共に、型押しによる変形部の残留応力からの光の屈折を抑えて視認性の低下を防止することが可能となる。具体的なコーティングの種類としては、フッ素系樹脂によるコーティングや、酸化チタン膜の形成処理を施す等がある。
【実施例４】
【００４５】
請求項５では、薄板材１１が半透明であるか又は可視光線に相当する領域の電磁波を遮蔽する樹脂素材を用いている。係る構成を採用することで、ある程度の採光を可能としつつ、プライベート性を確保する。具体的には、乳白色による半透明樹脂や、可視光領域の特定波長光の透過量を制御できる透過光コントロール板(例えば、商品名：スミペックス（登録商標）のようなアクリル板等)を利用すること等が考えられる。
【実施例５】
【００４６】
請求項６では、その全体に紫外線を遮蔽するコーティングが施すか、又は薄板材１１に紫外線吸収剤を含有させている。係る構成を採用することにより室内へ紫外線が入り込まない様にすることができるとともに、早期劣化を防ぐことが可能になる。特に、雨戸という物品の性質上、太陽光にさらされる時間が長いため、透明樹脂製品では劣化により透明性が低下し易いことから、係る構成を採用することが望ましい。具体的には、ベンゾトリアゾール系、ベンゾフェノン系、サリシレート系、シアノアクリルレート系、ニッケル系、トリアジン系等の種類があるが、特に、ベンゾトリアゾール系紫外線吸収剤は、吸収範囲が紫外線の全領域にわたり、吸収能力が最も優れているので、該ベンゾトリアゾール系紫外線吸収剤を用いることが望ましい。同様の理由から、ヒンダードアミン系の光安定剤（HALS：Himdered  Amine  Light  Stabilizer）を併用して含有させることも有効である。紫外線により生成したラジカルを捕捉し、着色防止や光沢保持の効果を発揮させるためである。
【実施例６】
【００４７】
本発明に係る一体成形透明樹脂製雨戸１０の素材となる薄板材１１をアクリル樹脂に特定した場合は、ガラスを凌ぐ透過率（90％以上）により、高い採光性を発揮すると共に低コスト化を図ることができ、また、裁断等が必要な場合でも容易に加工できる。但し、衝撃に弱く割れ易いため、極端に薄い素材は使用できず、サッシ４０の標準規格でいう６尺系や９尺系のような大型のサッシ４０にはやや不向きとなる。
【００４８】
また、本発明に係る一体成形透明樹脂製雨戸１０の素材となる薄板材１１をポリカーボネートに特定した場合は、伸び率が高く、展延性も良いため成形性に優れ、本発明の一体成形という構成に適した素材といえる。また、衝撃強さは前記アクリル樹脂（PMMA）の数十倍と強く丈夫で割れにくい。但し、紫外線を受けると化学反応を起こして黄変し、透視性が失われるので、請求項４の構成である紫外線吸収層のコーティングや紫外線吸収剤の添加が望ましい。
【００４９】
また、本発明に係る一体成形透明樹脂製雨戸１０の素材となる薄板材１１をPET樹脂に特定した場合は、熱可塑性樹脂の中で生産量が最も多いことから、原料コストを抑えることが可能となる。またPET樹脂はペットボトルの普及から、繊維へのリサイクルが比較的普及していることもあり、再利用による環境への配慮を図ることができる。
【実施例７】
【００５０】
図７は、本発明の取付応用例を示す取付説明図である。図７（ａ）は本発明に係る一体成形透明樹脂製雨戸１０の上辺部及び下辺部室を、サッシ４０の室内Ｘ側の溝とガラス戸枠体４１の間の隙間４２に挟持させた場合の応用例を示しており、図７（ｂ）及び図７（ｃ）は、サッシ４０への装着の前後に分けて、其々の挟持部を拡大した拡大図である。サッシ４０の種類によっては、床への取付部材を成すアングルカバー４４と窓枠体の間に結露による水滴を流すための隙間４２が存在するものが多い。そこで、係る隙間４２に本発明を取り付けることも有効である。係る配置構成で設置した場合は、屋外Ｙから屋内Ｘに向かって、網戸５０、屋外Ｙ側の窓ガラス窓４３、室内Ｘ側の窓ガラス窓４３、一体成形透明樹脂製雨戸１０の順に並ぶことになる。
【符号の説明】
【００５１】
１０    一体成形透明樹脂製雨戸
１１    薄板材
２０    突出部
２１    開口部
３０    補強リブ部
４０    サッシ
４１    ガラス戸枠体
４２    隙間
４３    ガラス
４４    アングルカバー
５０    網戸
ｔ    板厚
Ｈ    突き出し幅
Ｘ    屋内
Ｙ    屋外
Ｚ    通風空気
Ｓ    雨水
【図１】
0005435314.tif 000002
【図２】
0005435314.tif 000003
【図３】
0005435314.tif 000004
【図４】
0005435314.tif 000005
【図５】
0005435314.tif 000006
【図６】
0005435314.tif 000007
【図７】
0005435314.tif 000008